(57)【要約】【課題】ユーザがゲーム感覚で親しみを持って電子メールを送受信できる電子メール受信装置及び電子メール受信方法を提供する。【解決手段】本発明の電子メール受信装置及び電子メール受信方法においては、新着電子メールを受信すると、オブジェクトの表示用パラメータを加算又は減算する。このオブジェクトの表示用パラメータに応じて、そのオブジェクトのＧＵＩ画面上の表示方法を変化させる。例えば、ＧＵＩ画面上のつぼみを１個つけた花が、開花した花を１個とつぼみを２個つけた花に変化する等である。このオブジェクトは送信者が指定しても良いし、またランダムに設定しても良い。【選択図】　　　　図１
2004070501.tif 000002
【特許請求の範囲】
【請求項１】
電子メールを受信する受信部と、
前記電子メールの送信日時、受信日時、発信者名、発信者の電子メールアドレス、情報量、タイトル若しくは本文に基づく情報又は受信回数を抽出する情報抽出部と、
前記情報抽出部により抽出された情報に基づいて記憶内容を変更する記憶部と、
前記記憶内容を表示方法に反映して表示する画像情報を生成する画像情報生成部と、
を有することを特徴とする電子メール受信装置。
【請求項２】
電子メールを受信する受信部と、
前記電子メールの送信日時、受信日時、発信者名、発信者の電子メールアドレス、情報量、タイトル若しくは本文に基づく情報又は受信回数を抽出する情報抽出部と、
前記情報抽出部により抽出された情報に基づいて、オブジェクトの状態を定義する状態関数のパラメータの値を変化させ、そのパラメータに応じて前記オブジェクトを異なる表示方法で表示する画像情報を生成する画像情報生成部と、
を有することを特徴とする電子メール受信装置。
【請求項３】
電子メールを受信する受信部と、
前記電子メールに含まれ且つ表示画像上の位置、領域又はオブジェクトを指定する表示位置情報を抽出する表示位置情報抽出部と、
画像情報を生成する画像情報生成部と、
を有し、
前記画像情報生成部は、前記電子メールを受信した場合又は操作者が前記表示位置情報によって定められる表示画像上の位置、領域又はオブジェクトの表示を指し示した場合に、前記位置若しくは領域により特定されるオブジェクト又は前記表示位置情報によって定められるオブジェクトの状態を定義する状態関数のパラメータの値を変化させ、そのパラメータに応じて前記オブジェクトの表示方法を変化させることを特徴とする電子メール受信装置。
【請求項４】
前記画像情報生成部は、前記表示位置情報によって定められる表示画像上の位置から最も近い距離に位置するオブジェクトを特定し又は前記表示位置情報によって定められる表示画像上の位置を中心とする一定形状の領域を相似的に拡大していった場合に最初に領域が重なるオブジェクトを特定し、前記電子メールを受信した場合又は操作者が前記特定されたオブジェクトを指し示した場合に、前記特定されたオブジェクトの状態を定義する状態関数のパラメータの値を変化させ、そのパラメータに応じて前記オブジェクトの表示方法を変化させることを特徴とする請求項３に記載の電子メール受信装置。
【請求項５】
画面の表示方法を決めるための変数を記憶する表示パラメータ記憶部と、
電子メールを受信する受信部と、
前記受信部により受信した情報に基づいて前記パラメータ記憶部の記憶内容を変更するパラメータ変更部と、
前記パラメータ記憶部の記憶内容に基づいて画像情報を生成する画像情報生成部とを有することを特徴とする電子メール受信装置。
【請求項６】
フォルダを特定するフォルダ表示を含む電子メールを受信する受信部と、
前記電子メールに含まれるフォルダ表示を抽出するフォルダ表示抽出部と、
前記電子メールを前記フォルダに格納するフォルダ格納部と、
前記フォルダ表示と、表示画像上の位置、領域又はオブジェクトとの対応関係の情報を格納する表示位置情報格納部と、
画像情報を生成する画像情報生成部と、
を有し、
前記画像情報生成部は、前記電子メールを受信した場合又は操作者が前記表示位置情報格納部において前記フォルダに対応付けられている表示画像上の位置、領域又はオブジェクトの表示を指し示した場合に、前記位置若しくは領域により特定されるオブジェクト又は前記フォルダ表示に対応付けられているオブジェクトの状態を定義する状態関数のパラメータの値を変化させ、そのパラメータに応じて前記オブジェクトの表示方法を変化させることを特徴とする電子メール受信装置。
【請求項７】
電子メールを受信する受信部と、
電子メールを受信する毎に乱数を発生する乱数発生部と、
画像情報を生成する画像情報生成部と、
前記乱数に基づいて表示画像上の位置、領域又はオブジェクトを特定する特定部と、
を有し、
前記画像情報生成部は、前記電子メールを受信した場合又は操作者が前記特定部によって特定された表示画像上の位置、領域又はオブジェクトの表示を指し示した場合に、前記位置若しくは領域により特定されるオブジェクト又は前記特定部によって特定されたオブジェクトの状態を定義する状態関数のパラメータの値を変化させ、そのパラメータに応じて前記オブジェクトの表示方法を変化させることを特徴とする電子メール受信装置。
【請求項８】
電子メールを受信する受信ステップと、
前記電子メールの送信日時、受信日時、発信者名、発信者の電子メールアドレス、情報量、タイトル若しくは本文に基づく情報又は受信回数を抽出する情報抽出ステップと、
前記抽出された情報に基づいて記憶内容を変更する記憶ステップと、
前記記憶内容を表示方法に反映して表示する画像情報を生成する画像情報生成ステップと、
を有することを特徴とする電子メール受信方法。
【請求項９】
電子メールを受信する受信ステップと、
前記電子メールの送信日時、受信日時、発信者名、発信者の電子メールアドレス、情報量、タイトル若しくは本文に基づく情報又は受信回数を抽出する情報抽出ステップと、
前記抽出された情報に基づいて、オブジェクトの状態を定義する状態関数のパラメータの値を変化させ、そのパラメータに応じて前記オブジェクトを異なる表示方法で表示する画像情報を生成する画像情報生成ステップと、
を有することを特徴とする電子メール受信方法。
【請求項１０】
電子メールを受信する受信ステップと、
前記電子メールに含まれ且つ表示画像上の位置、領域又はオブジェクトを指定する表示位置情報を抽出する表示位置情報抽出ステップと、
前記電子メールを受信した場合又は操作者が前記表示位置情報によって定められる表示画像上の位置、領域又はオブジェクトの表示を指し示した場合に、前記位置若しくは領域により特定されるオブジェクト又は前記表示位置情報によって定められるオブジェクトの状態を定義する状態関数のパラメータの値を変化させ、そのパラメータに応じて前記オブジェクトの表示方法を変化させる画像情報を生成する画像情報生成ステップと、
を有することを特徴とする電子メール受信方法。
【請求項１１】
前記画像情報生成ステップにおいて、前記表示位置情報によって定められる表示画像上の位置から最も近い距離に位置するオブジェクトを特定し又は前記表示位置情報によって定められる表示画像上の位置を中心とする一定形状の領域を相似的に拡大していった場合に最初に領域が重なるオブジェクトを特定し、前記電子メールを受信した場合又は操作者が前記特定されたオブジェクトを指し示した場合に、前記特定されたオブジェクトの状態を定義する状態関数のパラメータの値を変化させ、そのパラメータに応じて前記オブジェクトの表示方法を変化させることを特徴とする請求項１０に記載の電子メール受信方法。
【請求項１２】
電子メールを受信する受信ステップと、
受信した電子メールに含まれる情報に基づいてパラメータ記憶部の記憶内容を変更するパラメータ変更ステップと、
前記パラメータ記憶部の記憶内容に基づいて画像情報を生成する画像情報生成ステップと、
を有することを特徴とする電子メール受信方法。
【請求項１３】
フォルダを特定するフォルダ表示を含む電子メールを受信する受信ステップと、
前記電子メールに含まれるフォルダ表示を抽出するフォルダ表示抽出ステップと、
前記電子メールを前記フォルダに格納するフォルダ格納ステップと、
前記電子メールを受信した場合又は操作者が前記フォルダに対応付けられている表示画像上の位置、領域又はオブジェクトの表示を指し示した場合に、前記位置若しくは領域により特定されるオブジェクト又は前記フォルダ表示に対応付けられているオブジェクトの状態を定義する状態関数のパラメータの値を変化させ、そのパラメータに応じて前記オブジェクトの表示方法を変化させる画像情報を生成する画像情報生成ステップと、
を有することを特徴とする電子メール受信方法。
【請求項１４】
電子メールを受信する受信ステップと、
電子メールを受信する毎に乱数を発生する乱数発生ステップと、
前記乱数に基づいて表示画像上の位置、領域又はオブジェクトを特定する特定ステップと、
前記画像情報生成ステップにおいて、前記電子メールを受信した場合又は操作者が前記特定ステップにおいて特定された表示画像上の位置、領域又はオブジェクトの表示を指し示した場合に、前記位置若しくは領域により特定されるオブジェクト又は前記特定ステップにおいて特定されたオブジェクトの状態を定義する状態関数のパラメータの値を変化させ、そのパラメータに応じて前記オブジェクトの表示方法を変化させる画像情報を生成する画像情報生成ステップと、
を有するこを特徴とする電子メール受信方法。
【請求項１５】
電子メールの受信部を有する情報処理装置に請求項８から請求項１４のいずれかの請求項に記載の電子メール受信方法を実現させるためのプログラム。
【発明の詳細な説明】
【０００１】
【発明の属する技術分野】
本発明は通信ネットワークを介してパーソナルコンピュータなどの通信端末間で電子メールを授受するための電子メール受信装置及び電子メール受信方法に関する。
【０００２】
【従来の技術】
離れているコンピュータ間で互いに情報を授受することができる世界的な規模の通信ネットワーク環境を提供するインターネットの一つの利用形態として、電子メールが広く普及している。
送信者は、伝えたい内容をエディタで記述し、メーラ（メールを送受信するためのソフトウェア）と呼ばれる電子メール用クライアントツールによって必要なアドレスと宛名を付与して受信者に送る。
受信者は、メーラを起動した際に到着通知が表示されるなどの方法で、自分のポストに電子メールが着信したことを確認し、メーラによって自分宛のメールを読むことができる。
【０００３】
【発明が解決しようとする課題】
上述した電子メールシステムは、使い慣れると非常に便利である反面、初めてパーソナルコンピュータを使用して電子メールのやり取りを行うユーザにとっては、利用が難しいという側面があった。すなわち、電子メールをやり取りするためのソフトウェアであるメーラの操作方法をマニュアル等で学習し、十分に理解した上でなければ利用することができなかった。
また、多くのメーラは無味乾燥なものが多く、趣味の一環として使用しているユーザにとっては、娯楽性がなくすぐに飽きてしまっていた。
そこで、上述の従来の実状に鑑み本発明の目的は、ゲーム感覚で楽しみながら操作することにより電子メールを授受できる電子メール受信装置及び電子メール受信方法を提供することにある。
【０００４】
【課題を解決するための手段】
上記課題を解決するため、本発明は下記の構成を有する。
請求項１に記載の発明は、電子メールを受信する受信部と、前記電子メールの送信日時、受信日時、発信者名、発信者の電子メールアドレス、情報量、タイトル若しくは本文に基づく情報又は受信回数を抽出する情報抽出部と、前記情報抽出部により抽出された情報に基づいて記憶内容を変更する記憶部と、前記記憶内容を表示方法に反映して表示する画像情報を生成する画像情報生成部と、を有することを特徴とする電子メール受信装置である。
「電子メールのタイトルに基づく情報」はタイトルから一定の関数により導出される情報である。例えば前記電子メールのタイトルに含まれる特定の文字の数をカウントし、そのカウント値を一定の値で割り、その割り算の剰余によって特定されるオブジェクトの表示用パラメータを一定値だけ変化させる。
「電子メールの本文に基づく情報」は電子メールの本文から一定の関数により導出される情報である。例えば、電子メールの本文に含まれる第１の特定の文字の数をカウントし、そのカウント値を第１の値で割る（第１の割算）。電子メールの本文に含まれる第２の特定の文字の数をカウントし、そのカウント値を第２の値で割る（第２の割算）。第１の割り算の剰余によって特定されるオブジェクトの表示用パラメータを、第２の割算の剰余だけ変化させる。
【０００５】
請求項２に記載の発明は、電子メールを受信する受信部と、前記電子メールの送信日時、受信日時、発信者名、発信者の電子メールアドレス、情報量、タイトル若しくは本文に基づく情報又は受信回数を抽出する情報抽出部と、前記情報抽出部により抽出された情報に基づいて、オブジェクトの状態を定義する状態関数のパラメータの値を変化させ、そのパラメータに応じて前記オブジェクトを異なる表示方法で表示する画像情報を生成する画像情報生成部と、を有することを特徴とする電子メール受信装置である。
「オブジェクトの状態を定義する状態関数のパラメータの値を変化させ、そのパラメータに応じて前記オブジェクトを異なる表示方法で表示する」とは、例えばオブジェクトに対応付けたポイント数を設け、情報抽出部により抽出された情報に基づいて、オブジェクトのポイント数を加算又は減算し、そのポイント数に応じて前記オブジェクトを異なる表示方法で表示することである。
【０００６】
請求項３に記載の発明は、電子メールを受信する受信部と、前記電子メールに含まれ且つ表示画像上の位置、領域又はオブジェクトを指定する表示位置情報を抽出する表示位置情報抽出部と、画像情報を生成する画像情報生成部と、を有し、前記画像情報生成部は、前記電子メールを受信した場合又は操作者が前記表示位置情報によって定められる表示画像上の位置、領域又はオブジェクトの表示を指し示した場合に、前記位置若しくは領域により特定されるオブジェクト又は前記表示位置情報によって定められるオブジェクトの状態を定義する状態関数のパラメータの値を変化させ、そのパラメータに応じて前記オブジェクトの表示方法を変化させることを特徴とする電子メール受信装置である。
【０００７】
請求項４に記載の発明は、前記画像情報生成部は、前記表示位置情報によって定められる表示画像上の位置から最も近い距離に位置するオブジェクトを特定し又は前記表示位置情報によって定められる表示画像上の位置を中心とする一定形状の領域を相似的に拡大していった場合に最初に領域が重なるオブジェクトを特定し、前記電子メールを受信した場合又は操作者が前記特定されたオブジェクトを指し示した場合に、前記特定されたオブジェクトの状態を定義する状態関数のパラメータの値を変化させ、そのパラメータに応じて前記オブジェクトの表示方法を変化させることを特徴とする請求項３に記載の電子メール受信装置である。
【０００８】
請求項５に記載の発明は、画面の表示方法を決めるための変数を記憶する表示パラメータ記憶部と、電子メールを受信する受信部と、前記受信部により受信した情報に基づいて前記パラメータ記憶部の記憶内容を変更するパラメータ変更部と、前記パラメータ記憶部の記憶内容に基づいて画像情報を生成する画像情報生成部とを有することを特徴とする電子メール受信装置である。
【０００９】
請求項６に記載の発明は、フォルダを特定するフォルダ表示を含む電子メールを受信する受信部と、前記電子メールに含まれるフォルダ表示を抽出するフォルダ表示抽出部と、前記電子メールを前記フォルダに格納するフォルダ格納部と、前記フォルダ表示と、表示画像上の位置、領域又はオブジェクトとの対応関係の情報を格納する表示位置情報格納部と、画像情報を生成する画像情報生成部と、を有し、前記画像情報生成部は、前記電子メールを受信した場合又は操作者が前記表示位置情報格納部において前記フォルダに対応付けられている表示画像上の位置、領域又はオブジェクトの表示を指し示した場合に、前記位置若しくは領域により特定されるオブジェクト又は前記フォルダ表示に対応付けられているオブジェクトの状態を定義する状態関数のパラメータの値を変化させ、そのパラメータに応じて前記オブジェクトの表示方法を変化させることを特徴とする電子メール受信装置である。
【００１０】
請求項７に記載の発明は、電子メールを受信する受信部と、電子メールを受信する毎に乱数を発生する乱数発生部と、画像情報を生成する画像情報生成部と、前記乱数に基づいて表示画像上の位置、領域又はオブジェクトを特定する特定部と、を有し、前記画像情報生成部は、前記電子メールを受信した場合又は操作者が前記特定部によって特定された表示画像上の位置、領域又はオブジェクトの表示を指し示した場合に、前記位置若しくは領域により特定されるオブジェクト又は前記特定部によって特定されたオブジェクトの状態を定義する状態関数のパラメータの値を変化させ、そのパラメータに応じて前記オブジェクトの表示方法を変化させることを特徴とする電子メール受信装置である。
【００１１】
請求項８に記載の発明は、電子メールを受信する受信ステップと、前記電子メールの送信日時、受信日時、発信者名、発信者の電子メールアドレス、情報量、タイトル若しくは本文に基づく情報又は受信回数を抽出する情報抽出ステップと、前記抽出された情報に基づいて記憶内容を変更する記憶ステップと、前記記憶内容を表示方法に反映して表示する画像情報を生成する画像情報生成ステップと、を有することを特徴とする電子メール受信方法である。
【００１２】
請求項９に記載の発明は、電子メールを受信する受信ステップと、前記電子メールの送信日時、受信日時、発信者名、発信者の電子メールアドレス、情報量、タイトル若しくは本文に基づく情報又は受信回数を抽出する情報抽出ステップと、前記抽出された情報に基づいて、オブジェクトの状態を定義する状態関数のパラメータの値を変化させ、そのパラメータに応じて前記オブジェクトを異なる表示方法で表示する画像情報を生成する画像情報生成ステップと、を有することを特徴とする電子メール受信方法である。
【００１３】
請求項１０に記載の発明は、電子メールを受信する受信ステップと、前記電子メールに含まれ且つ表示画像上の位置、領域又はオブジェクトを指定する表示位置情報を抽出する表示位置情報抽出ステップと、前記電子メールを受信した場合又は操作者が前記表示位置情報によって定められる表示画像上の位置、領域又はオブジェクトの表示を指し示した場合に、前記位置若しくは領域により特定されるオブジェクト又は前記表示位置情報によって定められるオブジェクトの状態を定義する状態関数のパラメータの値を変化させ、そのパラメータに応じて前記オブジェクトの表示方法を変化させる画像情報を生成する画像情報生成ステップと、を有することを特徴とする電子メール受信方法である。
【００１４】
請求項１１に記載の発明は、前記画像情報生成ステップにおいて、前記表示位置情報によって定められる表示画像上の位置から最も近い距離に位置するオブジェクトを特定し又は前記表示位置情報によって定められる表示画像上の位置を中心とする一定形状の領域を相似的に拡大していった場合に最初に領域が重なるオブジェクトを特定し、前記電子メールを受信した場合又は操作者が前記特定されたオブジェクトを指し示した場合に、前記特定されたオブジェクトの状態を定義する状態関数のパラメータの値を変化させ、そのパラメータに応じて前記オブジェクトの表示方法を変化させることを特徴とする請求項１０に記載の電子メール受信方法である。
【００１５】
請求項１２に記載の発明は、電子メールを受信する受信ステップと、受信した電子メールに含まれる情報に基づいてパラメータ記憶部の記憶内容を変更するパラメータ変更ステップと、前記パラメータ記憶部の記憶内容に基づいて画像情報を生成する画像情報生成ステップと、を有することを特徴とする電子メール受信方法である。
【００１６】
請求項１３に記載の発明は、フォルダを特定するフォルダ表示を含む電子メールを受信する受信ステップと、前記電子メールに含まれるフォルダ表示を抽出するフォルダ表示抽出ステップと、前記電子メールを前記フォルダに格納するフォルダ格納ステップと、前記電子メールを受信した場合又は操作者が前記フォルダに対応付けられている表示画像上の位置、領域又はオブジェクトの表示を指し示した場合に、前記位置若しくは領域により特定されるオブジェクト又は前記フォルダ表示に対応付けられているオブジェクトの状態を定義する状態関数のパラメータの値を変化させ、そのパラメータに応じて前記オブジェクトの表示方法を変化させる画像情報を生成する画像情報生成ステップと、を有することを特徴とする電子メール受信方法である。
【００１７】
請求項１４に記載の発明は、電子メールを受信する受信ステップと、電子メールを受信する毎に乱数を発生する乱数発生ステップと、前記乱数に基づいて表示画像上の位置、領域又はオブジェクトを特定する特定ステップと、前記画像情報生成ステップにおいて、前記電子メールを受信した場合又は操作者が前記特定ステップにおいて特定された表示画像上の位置、領域又はオブジェクトの表示を指し示した場合に、前記位置若しくは領域により特定されるオブジェクト又は前記特定ステップにおいて特定されたオブジェクトの状態を定義する状態関数のパラメータの値を変化させ、そのパラメータに応じて前記オブジェクトの表示方法を変化させる画像情報を生成する画像情報生成ステップと、を有することを特徴とする電子メール受信方法である。
【００１８】
請求項１５に記載の発明は、電子メールの受信部を有する情報処理装置に請求項８から請求項１４のいずれかの請求項に記載の電子メール受信方法を実現させるためのプログラムである。
【００１９】
【発明の実施の形態】
以下、本発明の実施をするための最良の形態を具体的に示した実施例について、図面とともに記載する。
【００２０】
《実施例１》
図１〜図８を用いて、本発明の実施例１の電子メール受信装置及び電子メール受信方法について説明する。
本発明の電子メール受信装置は、電子メールを受信して表示画面上のオブジェクトのポイントを貯めることにより、そのオブジェクトの表示方法を替えることができる。例えば、植物を育て花を咲かせる。ユーザは本発明の電子メール送信装置を使用して、受信者側の表示画面上のオブジェクトにポイントをあげることができる。
【００２１】
図１は本発明の実施例１の電子メール受信装置及び電子メール送信装置のシステム構成を示すブロック図である。
はじめに、実施例１の電子メール受信装置及び電子メール送信装置のシステムの構成について説明する。図１において、１０１は画像表示部、１０２は電子メール受信装置、１０３はインターネット、１０４は第１の電子メール送信装置、１０５は第２の電子メール送信装置である。
電子メール受信装置１０２は、画像情報生成部１１１、受信部１１２、表示位置情報抽出部１１３、特定部１１４、乱数発生部１１５、記憶部１１６、位置指定部１１７、指令入力部１１８を有する。画像情報生成部１１１は、獲得ポイント演算部１２１を有する。記憶部１１６は、庭画像情報格納部１２２、表示位置情報格納部１２３、ポイント情報格納部１２４、表示方法情報格納部１２５を有する。第１の電子メール送信装置１０４は、指令入力部１３１、電子メール生成部１３２、表示位置情報生成部１３３、送信部１３４を有する。第２の電子メール送信装置１０５は、指令入力部１３１、電子メール生成部１３２、送信部１３４を有する。
実施例１の電子メール受信装置１０２、第１の電子メール送信装置１０４及び第２の電子メール送信装置１０５は、パーソナルコンピュータである。
【００２２】
次に、実施例１の電子メール受信装置及び電子メール送信装置のシステムの電子メールの流れを説明する。
ユーザは、第１の電子メール送信装置１０４の指令入力部１３１に指令情報を入力する。電子メール生成部１３２は、その指令情報に基づいて電子メールを生成する。ユーザが表示位置を指定した場合は、表示位置情報生成部１３３は表示位置情報を生成する。電子メールは表示位置情報を添付して送信部１３４から送信され、インターネット１０３を経由して電子メール受信装置１０２に届く。
同様にユーザは、第２の電子メール送信装置１０５の指令入力部１３１に指令情報を入力する。電子メール生成部１３２は、その指令情報に基づいて電子メールを生成する。電子メールは送信部１３４から送信され、インターネット１０３を経由して電子メール受信装置１０２に届く。第２の電子メール送信装置１０５は、従来例の電子メール送信装置である。
【００２３】
受信部１１２は電子メール等を受信する。電子メールはそのまま画像情報生成部１１１に送られる。また表示位置情報抽出部１１３は電子メールから表示位置情報を抽出し画像情報生成部１１１に伝送する。表示位置が指定されていない場合は、乱数発生部１１５から入力された乱数に基づいて、特定部１１４は表示位置情報を特定し、特定した表示位置情報を画像情報生成部１１１に伝送する。
庭画像情報格納部１２２は庭画像を画像情報生成部１１１に伝送する。表示位置情報格納部１２３は、図３に示すオブジェクト名と参照番号との対応表のデータベースを有し、この対応表を画像情報生成部１１１に伝送する。ポイント情報格納部１２４は、オブジェクト名とポイント数との対応表のデータベースを有し、この対応表を画像情報生成部１１１に伝送する。表示方法情報格納部１２５は、図４に示すオブジェクトごとのポイント数と表示方法との対応表のデータベースを有し、この対応表を画像情報生成部１１１に伝送する。
ユーザは指令入力部１１８により電子メールの受信状況をチェックする指令、画像上の位置を指定する指令、受信した電子メールを開く指令等を入力する。位置指定部１１７はユーザが指令入力部１１８から入力した指令の中から画像上の位置を指定する指令を抽出し指令位置の情報（実施例においてはオブジェクトを特定する情報である。）を画像情報生成部１１１に伝送する。
【００２４】
ユーザが電子メールの送受信又は表示を行う時、本発明の電子メール受信装置はディスプレイ上に庭画像又は通常の電子メールボックスを表示する。以下、本発明の電子メール受信装置がディスプレイ上に庭画像を表示する場合について説明する。図２は本発明の実施例１の電子メール受信方法のフローチャートである。図２において、ステップ２０１で電子メール受信装置１０２の受信部１１２は電子メールを受信する。ステップ２０２で画像情報生成部１１１は「新着メールが届いています！！」というメッセージを画像表示部１０１に表示する（図５参照）。ステップ２０３で表示位置情報抽出部１１３は、送信者が電子メールの隠し場所を指定したか否かを判断する（受信した電子メールに表示位置情報が添付されているか否かを判断する。）。実施例においては、電子メール受信装置１０２の画像表示部１０１上の庭のいずれかのオブジェクトに受信した電子メールは隠される。
【００２５】
指定している場合（受信した電子メールに表示位置情報が添付されている場合）は、ステップ２０４に進み、表示位置情報抽出部１１３は表示位置情報を抽出し、画像情報生成部１１１に伝送する。指定していない場合（受信した電子メールに表示位置情報が添付されていない場合）は、ステップ２０５に進み、乱数発生部１１５は乱数を発生させ、特定部１１４に伝送する。ステップ２０６で特定部１１４は乱数に基づいて表示位置情報を特定し、特定した表示位置情報を画像情報生成部１１１に伝送する。ステップ２０７で新着メールアイコンを表示することなく庭画像を表示する（図５参照）。特定部１１４は乱数に基づいて表示位置情報を特定する方法は任意である。実施例において特定部１１４は、乱数をパラメータとする関数を有する。特定部１１４は、この関数によって求められた値を受信した電子メールに対応づけられた表示位置情報として出力する。
【００２６】
ステップ２０８でユーザが画面表示部１０１上のオブジェクトを指定する。例えば、図６に示すようにマウスの指定位置を矢印で表示し、ユーザがマウスを右クリックすると、その指定位置の領域を含むオブジェクト又はその指定位置から最も近い距離に位置するオブジェクトが特定される（位置指定部１１７が特定する。）。ステップ２０９で画像情報生成部１１１が、指定オブジェクトが表示位置情報に対応するオブジェクトと一致するか否かを判断する。
表示位置情報格納部１２５は、図３に示すオブジェクト名と参照番号との対応表のデータベースを有する。実施例において、第１の電子メール送信装置１０４が送信する表示位置情報及び特定部１１４が画像情報生成部１１１に伝送する表示位置情報は、図３の右欄に示す参照番号である。画像情報生成部１１１は、オブジェクト名と参照番号との対応表に基づいて、画像表示部１０１上のオブジェクトを特定できる。
【００２７】
指定オブジェクトが表示位置情報に対応するオブジェクトと一致しない場合はステップ２０８に戻る。ユーザは別のオブジェクトを指定し（そのオブジェクト上でマウスを右クリックし）、隠された電子メールを探し続ける。指定オブジェクトが表示位置情報に対応するオブジェクトと一致した場合はステップ２１０に進み、画像情報生成部１１１は庭画像のオブジェクト上に新着メールアイコンを表示する（図７参照）。表示画面が図６から図７に変化することにより、あたかも画面上に隠されていた電子メールが見つけだされたような視覚的印象がユーザに与えられる。ステップ２１１で新着メールアイコンをクリックすると新着メールの内容が表示される。
【００２８】
ステップ２１２で獲得ポイント演算部１２１は、ポイント情報格納部１２４の指定オブジェクトのポイント数に獲得ポイント数を加算する。加算後のポイント数はポイント情報格納部１２４に再び格納される。実施例において、電子メールの本文の長さに応じて獲得ポイントを増加させる。ステップ２１３で画像情報生成部１１１は、演算後のポイント数が演算前のポイント数が属していた表示方法情報格納部１２５の欄の上限値を越えているか否かを判断する。上限値を越えている場合は、ステップ２１４に進みオブジェクトの表示方法を変更し（演算後のポイント数が属する表示方法情報格納部１２５の新たな欄の表示方法に従って表示し）、このフローチャートを終了する。上限値を越えていない場合は、そのままこのフローチャートを終了する。ポイント数は、表示パラメータの役割を果たす。
例えば、木（１）において成木（状態２）（ポイント数４８）まで成長していたとする。獲得ポイントが２の場合（指定オブジェクトのポイント数が５０の場合）は、上限値（５０）を越えないので木（１）は成木（状態２）のままとなる。しかし獲得ポイントが５の場合（指定オブジェクトのポイント数が５３の場合）は、上限値（５０）を越えるので表示方法を変更し木（１）は花を３個つける（図８参照）。実施例における上限値は、図４に示す各欄（一定の範囲のポイント数が割り当てられている。）のポイント数の最大値を指し、指定オブジェクト及びポイント数により変化する。
【００２９】
本実施例のステップ２０３で送信者が隠し場所を指定していない場合、ステップ２０５に進み乱数を発生させステップ２０６で表示位置情報を特定しているが、これに代えて表示位置情報抽出部が、電子メールの送信日時、受信日時、発信者名、発信者の電子メールアドレス、情報量、タイトル若しくは本文に基づく情報又は受信回数に基づいて隠し場所及び／又は獲得ポイントを指定しても良い。例えば表示位置情報抽出部は、これらの情報をパラメータとして所定の関数によりオブジェクト及び／又は獲得ポイントを指定する。例えば表示位置情報抽出部が、電子メールのタイトルに含まれる特定の文字の数をカウントし、そのカウント値を一定の値で割り、その割り算の剰余によって表示位置情報を特定しても良い。また、同様に電子メールの本文に含まれる特定の文字の数をカウントし、そのカウント値を一定の値で割り、その割り算の剰余によって表示位置情報を特定しても良い。
【００３０】
本実施例のステップ２０８においては、受信者が画像表示部１０１上のオブジェクトを指定する方法としてマウスを使用しているが、これに代えてキーボードから数字等を入力することにより指定しても良い。また、同様にマウスを使用する場合であっても、指定位置を中心とする一定形状（例えば、円、矩形）の領域を相似的に拡大していき最初に領域が重なるオブジェクトを特定することとしても良い。
本実施例のステップ２１２においては、電子メールの本文の長さに応じて獲得ポイントを増加させているが、これに代えて獲得ポイントを一定値（固定値）としても良い。また、電子メールの本文に含まれる特定の文字の数をカウントし、そのカウント値を一定の値で割り、その割り算の剰余を獲得ポイントしても良いし、電子メールの数又は情報量等電子メールの属性に応じて獲得ポイントを決定することとしても良い。又は、送信者が任意の獲得ポイントを電子メールに添付して送信しても良い。また、獲得ポイントを加算する（オブジェクトを生成する）だけではなく、そのオブジェクトの数を増加させる（例えば、庭の木又は花の数が増える）処理を行うこととしても良い。
【００３１】
本実施例においては、第１の電子メール送信装置１０４の送信者は、どのオブジェクトにポイントをあげるかを考えることにより、受信者とゲーム上のかけ引き（コミュニケーション）をすることができる。受信者は、本発明の第１の電子メール送信装置１０４から送信された表示位置情報を含む電子メールのみならず、第１の電子メール送信装置１０４から送信された表示位置情報を含まない電子メール又は従来例の第２の電子メール１０５から送信された電子メールを受信した場合にも、ポイントを貯めオブジェクトを変化させるというゲームを楽しむことができる。
【００３２】
《実施例２》
図１、図９〜図１１を用いて、本発明の実施例２の電子メール受信装置及び電子メール受信方法について説明する。
図１は本発明の実施例２の電子メール受信装置及び電子メール送信装置のシステム構成を示すブロック図である。実施例１（図１）と同様であるため説明を省略する。実施例２の電子メール受信装置は悪いキャラクタ（例えば画面上でいたずらをするキャラクタ）をそのポイント数に応じて異なる表示方法で画面に表示し又は画面に表示しない。ポイント情報格納部１２４は、悪いキャラクタのポイント（「排除ポイント」と呼ぶ。）を格納する。表示方法情報格納部１２５は、図１０に示す悪いキャラクタのポイント数と表示方法との対応表のデータベースを有する。
【００３３】
図９は本発明の実施例２の電子メール受信方法のフローチャートである。図９において、まずはじめに電子メールの受信処理を行い、その後画像情報の生成処理を行う。
電子メール受信処理において、ステップ９０１で電子メール受信装置１０２の受信部１１２は電子メールを受信する。ステップ９０２で新着メールの内容が表示される。ステップ９０３で表示位置情報抽出部１１３は、送信者が悪いキャラクタ（オブジェクト）を指定したか否かを判断する。悪いキャラクタを指定した場合は、ステップ９０４に進みポイント情報格納部１２４が悪いキャラクタの排除ポイントを加算する。悪いキャラクタを指定していない場合は、ステップ９０４をスキップする。ステップ９０５で画像情報生成部１１１は、悪いキャラクタの排除ポイントが表示方法情報格納部１２５（図１０）の最下欄の下限値以上か否かを判断する。図１０の最下欄の下限値（６１）以上の場合は、ステップ９０６に進み画像情報生成部１１１は、悪いキャラクタの画面表示禁止期間（３ヶ月）を設定する。下限値未満の場合は、ステップ９０６をスキップする。
【００３４】
例えば、悪いキャラクタがやや弱っている状態（ポイント数５７）とする。２ポイント加算された場合（悪いキャラクタの排除ポイント数が５９の場合）は、下限値（６１）未満となるので悪いキャラクタはそのままとなる。しかし、５ポイント加算された場合（悪いキャラクタの排除ポイント数６２の場合）は、下限値（６１）以上となるので悪いキャラクタの画面表示禁止期間（３ヶ月）が設定される。実施例における下限値は、図１０に示す「３ヶ月登場禁止」欄のポイント数の最小値を指し、指定オブジェクトにより変化する。
【００３５】
画像情報の生成処理において、ステップ９０７で画像情報生成部１１１は、悪いキャラクタの画面表示禁止期間か否かを判断する。禁止期間でない場合は、ステップ９１１に進み、画像情報生成部１１１は悪いキャラクタを含む画像情報をそのポイント数が属する表示方法情報格納部１２５の欄に応じて生成し（図１１参照）、このフローチャートを終了する。禁止期間の場合は、ステップ９０８に進み現在悪いキャラクタを表示しているか否かを判断する。表示している場合は、ステップ９０９に進み画像情報生成部１１１は悪いキャラクタを退場させる画像情報を生成し、このフローチャートを終了する。表示していない場合は、ステップ９１０に進み画像情報生成部１１１は悪いキャラクタを含まない画像情報を生成し、このフローチャートを終了する。
【００３６】
本実施例のステップ９０４においては、悪いキャラクタの排除ポイントを加算しているが、これに代えて悪いキャラクタの寿命ポイントを減算することとしても良い。また、悪いキャラクタの排除ポイントを時間とともに減衰させることとしても良い。
本実施例のステップ９０９においては、悪いキャラクタを退場させる画像情報を生成しているが、これに代えて悪いキャラクタを退場させさらに元の良いキャラクタを登場させる画像情報を生成することとしても良い。
本実施例においては、受信者は悪いキャラクタのポイントを貯めて、悪いキャラクタを退場させ元の良いキャラクタを登場させる等のオブジェクトを変化させるというゲームを楽しむことができる。
【００３７】
《実施例３》
図５、図６、図１２〜図１５を用いて、本発明の実施例３の電子メール受信装置及び電子メール受信方法について説明する。
図１２は本発明の実施例３の電子メール受信装置及び電子メール送信装置のシステム構成を示すブロック図である。
はじめに、実施例３の電子メール受信装置及び電子メール送信装置のシステムの構成について説明する。図１２において、１０１は画像表示部、１０３はインターネット、１２０２は電子メール受信装置、１２０４は第３の電子メール送信装置である。電子メール受信装置１２０２は、位置指定部１１７、指令入力部１１８、画像情報生成部１２１１、受信部１２１２、フォルダ表示抽出部１２１３、記憶部１２１６を有する。画像情報生成部１２１１は、獲得ポイント演算部１２２１を有する。記憶部１２１６は、庭画像情報格納部１２２２、表示位置情報格納部１２２３、ポイント情報格納部１２２４、表示方法情報格納部１２２５、フォルダ格納部１２２６を有する。第３の電子メール送信装置１２０４は、指令入力部１３１、電子メール生成部１３２、送信部１３４、フォルダ表示指定部１２３３を有する。
実施例１と同一のブロックには同一の符号を付している。実施例２の電子メール受信装置１２０２及び第３の電子メール送信装置１２０４は、パーソナルコンピュータである。
【００３８】
次に、実施例３の電子メール受信装置及び電子メール送信装置のシステムの電子メールの流れを説明する。
ユーザは、第３の電子メール送信装置１２０４の指令入力部１３１に指令情報を入力する。電子メール生成部１３２は、その指令情報に基づいて電子メールを生成する。また、フォルダ表示指定部１２３３は受信装置のフォルダを特定するフォルダ表示を指定する。電子メールはフォルダ表示を添付して送信部１３４から送信され、インターネット１０３を経由して電子メール受信装置１２０２に届く。フォルダ表示の指定方法は任意である。例えばユーザ（送信者）がフォルダ番号を指令入力部１３１から入力する。又は例えば、フォルダ表示指定部１２３３が関数を有し、送信する電子メールの本文であるデータストリームをその関数で処理してフォルダ番号を導出する。
【００３９】
受信部１２１２は電子メール等を受信する。電子メールは、記憶部１２１６のフォルダ格納部１２２６に送られフォルダに格納される。またフォルダ表示抽出部１２１３は、電子メールからフォルダ表示を抽出し画像情報生成部１２１１と記憶部１２１６のフォルダ格納部１２２６に伝送する。フォルダ格納部１２２６は、図１４の右欄に示す複数のフォルダを有し、入力したフォルダ表示のフォルダに電子メールを格納する。フォルダ格納部１２２６は、フォルダ若しくはそこに格納された電子メールの情報又はそれらの内容を、表示する画像に応じて画像情報生成部１２１１に送る。
庭画像情報格納部１２２２は庭画像を画像情報生成部１２１１に伝送する。表示位置情報格納部１２２３は、図１４に示すオブジェクト名とフォルダ名（各フォルダ名は、固有のフォルダ番号を有する。）との対応表のデータベースを有し、この対応表を画像情報生成部１２１１に伝送する。ポイント情報格納部１２４は、オブジェクト名とポイント数との対応表のデータベースを有し、この対応表を画像情報生成部１２１１に伝送する。表示方法情報格納部１２５は、図４に示すオブジェクトごとのポイント数と表示方法との対応表のデータベースを有し、この対応表を画像情報生成部１２１１に伝送する。
ユーザは指令入力部１１８により電子メールの受信状況をチェックする指令、画像上の位置を指定する指令、受信した電子メールを開く指令等を入力する。位置指定部１１７はユーザが指令入力部１１８から入力した指令の中から画像上の位置を指定する指令を抽出し指令位置の情報（実施例においてはオブジェクトを特定する情報である。）を画像情報生成部１２１１に伝送する。
【００４０】
図１３は本発明の実施例３の電子メール受信方法のフローチャートである。図１３において、ステップ１３０１で電子メール受信装置１２０２の受信部１２１２は電子メールを受信する。ステップ１３０２で画像情報生成部１２１１は「新着メールが届いています！！」というメッセージを画像表示部１０１に表示する（図５参照）。ステップ１３０３でフォルダ表示抽出部１２１３は受信した電子メールからフォルダ表示を抽出し、画像情報生成部１２１１に伝送する。ステップ１３０４でフォルダ格納部１２１３は新着メールを指定のフォルダに格納する。ステップ１３０５で画像情報生成部１２１１は新着メールアイコンを表示することなく庭画像を表示する（図５参照）。
【００４１】
ステップ１３０６でユーザが画面表示部１０１上のオブジェクトを指定する。例えば、図６に示すようにマウスの指定位置を矢印で表示し、ユーザがマウスを右クリックすると、その指定位置の領域を含むオブジェクト又はその指定位置から最も近い距離に位置するオブジェクトが特定される。ステップ１３０７で画像情報生成部１２１１は指定オブジェクトが表示位置情報に対応するオブジェクトと一致するか否かを判断する。表示位置情報格納部１２２３は、図１４に示すオブジェクト名と参照番号との対応表のデータベースを有する。実施例において、第３の電子メール送信装置１２０４が送信するフォルダ表示は、図１４の右欄に示すフォルダ名である。画像情報生成部１２１１は、オブジェクト名とフォルダ名との対応表に基づいて、電子メールに添付されたフォルダ表示に対応付けられた画像表示部１０１上のオブジェクトを特定できる。
【００４２】
指定オブジェクトがフォルダ表示に対応するオブジェクトと一致しない場合はステップ１３０６に戻る。ユーザは別のオブジェクトを指定し（そのオブジェクト上でマウスを右クリックし）、隠された電子メールのフォルダを探し続ける。指定オブジェクトがフォルダ表示に対応するオブジェクトと一致した場合はステップ１３０８に進み、画像情報生成部１２１１は庭画像のオブジェクト上にフォルダを表示する（図１５参照）。表示画面が図６から図１５に変化することにより、あたかも画面上に隠されていたフォルダが見つけだされたような視覚的印象がユーザに与えられる。ステップ１３０９でフォルダをクリックすると新着メールアイコンが表示される。ステップ１３１０で新着メールアイコンをクリックすると新着メールの内容が表示される。
【００４３】
ステップ１３１１で獲得ポイント演算部１２２１は、ポイント情報格納部１２２４の指定オブジェクトのポイント数に獲得ポイント数を加算する。加算後のポイント数はポイント情報格納部１２２４に再び格納される。実施例において、電子メールの本文の長さに応じて獲得ポイントを増加させる。ステップ１３１２で演算後のポイント数が、演算前のポイント数が属していた表示方法情報格納部１２５の欄の上限値を越えているか否かを判断する。上限値を越えている場合は、ステップ１３１３に進みオブジェクトの表示方法を変更し（演算後のポイント数が属する表示方法情報格納部１２５の新たな欄の表示方法に従って表示し）、このフローチャートを終了する。上限値を越えていない場合は、そのままこのフローチャートを終了する。
【００４４】
本実施例のステップ１３０６においては、受信者が画像表示部１０１上のオブジェクトを指定する方法としてマウスを使用しているが、キーボードから数字等を入力することにより指定しても良い。また、同様にマウスを使用する場合であっても、指定位置を中心とする一定形状（例えば、円、矩形）の領域を相似的に拡大していき最初に領域が重なるオブジェクトを特定することとしても良い。
本実施例のステップ１３１１においては、電子メールの本文の長さに応じて獲得ポイントを増加させているが、これに代えて獲得ポイントを一定値（固定値）としても良い。また、表示位置情報抽出部が、電子メールの送信日時、受信日時、発信者名、発信者の電子メールアドレス、情報量、タイトル若しくは本文に基づく情報又は受信回数に基づいて隠し場所及び／又は獲得ポイントを指定しても良い。例えば表示位置情報抽出部は、これらの情報をパラメータとして所定の関数によりオブジェクト及び／又は獲得ポイントを指定する。例えば表示位置情報抽出部が、電子メールの本文に含まれる特定の文字の数をカウントし、そのカウント値を一定の値で割り、その割り算の剰余を獲得ポイントしても良いし、電子メールの数又は情報量等電子メールの属性に応じて獲得ポイントを決定することとしても良い。また、獲得ポイントを加算する（オブジェクトを生成する）だけではなく、そのオブジェクトの数を増加させる（例えば、庭の木又は花の数が増える）処理を行うこととしても良い。
【００４５】
本実施例においては、送信者が電子メールを格納するフォルダを指定した。これに代えて、電子メール受信装置が乱数発生部と特定部とを有し、電子メールを受信すると乱数発生部は乱数を発生し、特定部が乱数を用いて所定の関数によりフォルダを指定することも出来る。フォルダ格納部１２２６は、特定部が指定したフォルダに電子メールを格納する。
【００４６】
本実施例においては、新着メールが到着した際、新着メールを格納するフォルダに対応するオブジェクトのポイントを貯めそのオブジェクトを変化させるというゲームを楽しむことができる。
【００４７】
実施例１、２において、指定オブジェクトが表示位置情報と一致した場合に電子メールのアイコンを表示したが、これに代えて電子メールを開くためのウィンドウ（例えばその中に新着電子メールのアイコンを含む。）を表示しても良く、新着電子メールの内容を直接表示しても良い。
実施例３において、指定オブジェクトがフォルダ表示に対応するオブジェクトに一致した場合にフォルダのアイコンを表示したが、これに代えてそのフォルダのウィンドウ（例えばその中に新着電子メールのアイコンを含む。）を表示しても良く、新着電子メールの内容を直接表示しても良い。
上記実施例において、新着電子メールは画面上のオブジェクトに対応させて隠された。これに代えて、新着電子メールを画面上の位置又は一定の領域に対応させて隠しても良い。受信者が画面上の一定の領域又は位置を指定し、指定した領域が新着電子メールに対応する位置若しくは領域を含む場合（又は指定した領域が新着電子メールに対応する領域と重なる領域を有する場合）、又は指定した位置が新着電子メールに対応する領域に含まれる場合、画像情報生成部は電子メールのアイコン又は新着電子メールを含むフォルダを表示する。
実施例において、オブジェクトに対応付けたポイント数を使用したが、これに限られず、オブジェクトの状態を定義する任意の状態関数及びそのパラメータを用いることが出来る。
【００４８】
【発明の効果】
本発明によれば、ゲーム感覚で楽しみながら操作することにより電子メールを授受できる電子メール受信装置及び電子メール受信方法を実現出来るという効果が得られる。
本発明によれば、送信者がポイントをあげるオブジェクト（新着メールアイコンの隠し場所）を指定すると、受信者の情報端末において送信者により指定されたオブジェクトのポイントを貯めそのオブジェクトを変化させるというゲームを受信者が行いながら、新着メールの内容を見る電子メール受信装置及び電子メール受信方法を実現できるという効果が得られる。
【００４９】
また、送信者が送信者がポイントをあげるオブジェクト（新着メールアイコンの隠し場所）を指定しない場合であっても、受信者の情報端末においてランダムに特定したオブジェクトのポイントを貯めそのオブジェクトを変化させるというゲームを受信者が行いながら、新着メールの内容を見る電子メール受信装置及び電子メール受信方法を実現できるという効果が得られる。
また、送信者の情報端末が本発明のメーラを有していなくても、受信者の情報端末において新着メールの属性により特定したオブジェクトのポイントを貯めそのオブジェクトを変化させるというゲームを受信者が行いながら、新着メールの内容を見る電子メール受信装置及び電子メール受信方法を実現できるという効果が得られる。
【００５０】
本発明によれば、送信者が電子メールを格納するフォルダを指定すると、受信者の情報端末において電子メールを格納したフォルダに対応するオブジェクトのポイントを貯めそのオブジェクトを変化させるというゲームを受信者が行いながら、新着メールの内容を見る電子メール受信装置及び電子メール受信方法を実現できるという効果が得られる。
【図面の簡単な説明】
【図１】本発明の実施例１、２の電子メール受信装置のシステム構成を示すブロック図
【図２】本発明の実施例１の電子メール受信方法のフローチャート
【図３】本発明の実施例１の電子メール受信装置及び電子メール受信方法のオブジェクト名と参照番号の対応表
【図４】本発明の実施例１の電子メール受信装置及び電子メール受信方法のオブジェクトごとのポイント数と表示方法の対応表
【図５】本発明の実施例１、３の電子メール受信装置において新着メールを受信したときの画像表示部に表示される画面を示す図
【図６】本発明の実施例１、３の電子メール受信装置においてユーザがオブジェクトを指定するときの画像表示部に表示される画面を示す図
【図７】本発明の実施例１の電子メール受信装置において新着メールアイコンを表示したときの画像表示部に表示される画面を示す図
【図８】本発明の実施例１の電子メール受信装置においてオブジェクトの表示方法が変化したときの画像表示部に表示される画面を示す図
【図９】本発明の実施例２の電子メール受信方法のフローチャート
【図１０】本発明の実施例２の電子メール受信装置及び電子メール受信方法のオブジェクトごとのポイント数と表示方法の対応表
【図１１】本発明の実施例２の電子メール受信装置において悪いキャラクタを表示したときの画像表示部に表示される画面を示す図
【図１２】本発明の実施例３の電子メール受信装置のシステム構成を示すブロック図
【図１３】本発明の実施例３の電子メール受信方法のフローチャート
【図１４】本発明の実施例３の電子メール受信装置及び電子メール受信方法のオブジェクト名とフォルダ名の対応表
【図１５】本発明の実施例３の電子メール受信装置においてフォルダを表示したときの画像表示部に表示される画面を示す図
【符号の説明】
１０１　　　　　　　　　　画像表示部
１０２、１２０２　　　　電子メール受信装置
１０３　　　　　　　　　インターネット
１０４　　　　　　　　　　第１の電子メール送信装置
１０５　　　　　　　　　　第２の電子メール送信装置
１１１、１２１１　　　　画像情報生成部
１１２、１２１２　　　　受信部
１１３　　　　　　　　　　表示位置情報抽出部
１１４　　　　　　　　　特定部
１１５　　　　　　　　　　乱数発生部
１１６、１２１６　　　　記憶部
１１７　　　　　　　　　　位置指定部
１１８、１３１　　　　　　指令入力部
１２１、１２２１　　　　獲得ポイント演算部
１２２、１２２２　　　　庭画像情報格納部
１２３、１２２３　　　　表示位置情報格納部
１２４、１２２４　　　　ポイント情報格納部
１２５、１２２５　　　　表示方法情報格納部
１３２　　　　　　　　　　電子メール生成部
１３３　　　　　　　　　表示位置情報生成部
１３４　　　　　　　　　　送信部
１２０４　　　　　　　　第３の電子メール送信装置
１２１３　　　　　　　　フォルダ表示抽出部
１２２６　　　　　　　　フォルダ格納部
１２３３　　　　　　　　フォルダ表示指定部
【図１】
2004070501.tif 000003
【図２】
2004070501.tif 000004
【図３】
2004070501.tif 000005
【図４】
2004070501.tif 000006
【図５】
2004070501.tif 000007
【図６】
2004070501.tif 000008
【図７】
2004070501.tif 000009
【図８】
2004070501.tif 000010
【図９】
2004070501.tif 000011
【図１０】
2004070501.tif 000012
【図１１】
2004070501.tif 000013
【図１２】
2004070501.tif 000014
【図１３】
2004070501.tif 000015
【図１４】
2004070501.tif 000016
【図１５】
2004070501.tif 000017